【手続補正書】
【提出日】平成18年8月4日(2006.8.4)
【手続補正１】
【補正対象書類名】明細書
【補正対象項目名】特許請求の範囲
【補正方法】変更
【補正の内容】
【特許請求の範囲】
【請求項１】  ディスク上に光ビームを収束照射して該ディスクから情報を読み取るための光ディスク駆動装置であって、
前記ディスクを回転させるための手段と、
前記ディスクからの反射光を電気信号に変換するための手段と、
可変周波数のリードクロック信号を発生するためのクロック発生手段と、
前記リードクロック信号が前記電気信号に位相同期するように前記クロック発生手段に対して位相同期制御を実行するための位相同期制御手段と、
前記ディスク内の目標トラックに向けて前記光ビームを移動させるための手段と、
前記リードクロック信号の周波数が所定のトラックにおいて所定の周波数になるように前記クロック発生手段に対して周波数制御を実行するための周波数制御手段とを備え、
前記周波数制御手段は、前記ディスクが記録可能ディスクである場合にのみ、前記ディスクに形成されたトラックに設けられたウォブルに基づいて前記周波数制御を実行することを特徴とする光ディスク駆動装置。
【請求項２】
請求項１記載の光ディスク駆動装置において、
前記周波数制御手段は、前記リードクロック信号の周波数が、検出された前記ウォブルの周波数と一定の比になるように前記クロック発生手段を制御することを特徴とする光ディスク駆動装置。
【請求項３】
請求項１又は２に記載の光ディスク駆動装置において、
少なくとも前記光ビームの移動が終了する直前において、前記位相同期制御手段を不動作状態とし、かつ前記周波数制御手段を動作状態とさせるための切換手段を更に備えたことを特徴とする光ディスク駆動装置。
【請求項４】  請求項１又は２に記載の光ディスク駆動装置において、
前記ディスクは、ＣＬＶで情報が記録されており、
前記光ディスク駆動装置は、前記光ビームの位置に応じて変更される前記ディスクの回転速度を検出するための手段を更に備え、
前記周波数制御手段は、前記リードクロック信号の周波数が、検出された前記ディスクの回転速度と、目標トラックの位置における目標回転速度とに応じて決まる周波数になるように予め前記クロック発生手段を制御することを特徴とする光ディスク駆動装置。
【請求項５】  請求項１又は２に記載の光ディスク駆動装置において、
前記ディスクは、ＣＬＶで情報が記録されており、
前記光ディスク駆動装置は、前記ディスクの回転速度を略一定に保つための手段を更に備え、
前記周波数制御手段は、前記リードクロック信号の周波数が目標トラックの位置における目標周波数になるように予め前記クロック発生手段を制御することを特徴とする光ディスク駆動装置。
【請求項６】  請求項１又は２に記載の光ディスク駆動装置において、
前記ディスクは、情報領域が同心円状に複数のゾーンに分割され、前記各ゾーン内においてはＣＡＶで情報が記録されており、
前記光ディスク駆動装置は、前記光ビームの位置に応じて変更される前記ディスクの回転速度を検出するための手段を更に備え、
前記周波数制御手段は、前記リードクロック信号の周波数が、検出された前記ディスクの回転速度と、目標トラックの属するゾーンにおける目標回転速度に応じて決まる周波数になるように予め前記クロック発生手段を制御することを特徴とする光ディスク駆動装置。
【請求項７】  請求項１又は２に記載の光ディスク駆動装置において、
前記ディスクは、情報領域が同心円状に複数のゾーンに分割され、前記各ゾーン内においてはＣＡＶで情報が記録されており、
前記光ディスク駆動装置は、前記ディスクの回転速度を略一定に保つための手段を更に備え、
前記周波数制御手段は、前記リードクロック信号の周波数が目標トラックの属するゾーンにおける目標周波数になるように予め前記クロック発生手段を制御することを特徴とする光ディスク駆動装置。
【請求項８】  請求項３記載の光ディスク駆動装置において、
前記切換手段は、前記光ビームの移動中は継続的に、前記位相同期制御手段を不動作状態とし、かつ前記周波数制御手段を動作状態とさせることを特徴とする光ディスク駆動装置。
【請求項９】  請求項３記載の光ディスク駆動装置において、
前記切換手段は、前記光ビームの移動が終了した際に、前記周波数制御手段を不動作状態とし、かつ前記位相同期制御手段を動作状態とさせることを特徴とする光ディスク駆動装置。
【請求項１０】  請求項３記載の光ディスク駆動装置において、
前記ディスクは、各々記録可能かつ蛇行したトラックを有する複数のデータ部と、隣接データ部の間に位置しかつ予めアドレスが記録された複数のアドレス部とを有し、
前記切換手段は、前記各アドレス部を前記光ビームが照射している期間では前記位相同期制御手段を、前記各データ部を前記光ビームが照射している期間では前記周波数制御手段をそれぞれ動作させることを特徴とする光ディスク駆動装置。
【請求項１１】  請求項１０記載の光ディスク駆動装置において、
前記切換手段は、前記各アドレス部を前記光ビームが照射している期間に前記周波数制御手段を不動作状態とさせることを特徴とする光ディスク駆動装置。
【請求項１２】  請求項１０記載の光ディスク駆動装置において、
前記切換手段は、前記各データ部に記録されたデータを読み出す際には、当該データ部を前記光ビームが照射している期間に前記周波数制御手段を不動作状態とし、かつ前記位相同期制御手段を動作状態とさせることを特徴とする光ディスク駆動装置。
【手続補正２】
【補正対象書類名】明細書
【補正対象項目名】０００８
【補正方法】変更
【補正の内容】
【０００８】
【課題を解決するための手段】
本発明の第１の光ディスク駆動装置は、ディスク上に光ビームを収束照射して該ディスクから情報を読み取るための光ディスク駆動装置であって、前記ディスクを回転させるための手段と、前記ディスクからの反射光を電気信号に変換するための手段と、可変周波数のリードクロック信号を発生するためのクロック発生手段と、前記リードクロック信号が前記電気信号に位相同期するように前記クロック発生手段に対して位相同期制御を実行するための位相同期制御手段と、前記ディスク内の目標トラックに向けて前記光ビームを移動させるための手段と、前記リードクロック信号の周波数が所定のトラックにおいて所定の周波数になるように前記クロック発生手段に対して周波数制御を実行するための周波数制御手段とを備え、前記周波数制御手段は、前記ディスクが記録可能ディスクである場合にのみ、前記ディスクに形成されたトラックに設けられたウォブルに基づいて前記周波数制御を実行することを特徴としたものである。
【手続補正３】
【補正対象書類名】明細書
【補正対象項目名】０００９
【補正方法】変更
【補正の内容】
【０００９】
また、本発明の第２の光ディスク駆動装置は、更に、少なくとも前記光ビームの移動が終了する直前において、前記位相同期制御手段を不動作状態とし、かつ前記周波数制御手段を動作状態とさせるための切換手段を更に備え、前記ディスクは、各々記録可能かつ蛇行したトラックを有する複数のデータ部と、隣接データ部の間に位置しかつ予めアドレスが記録された複数のアドレス部とを有し、前記切換手段は、前記各アドレス部を前記光ビームが照射している期間では前記位相同期制御手段を、前記各データ部を前記光ビームが照射している期間では前記周波数制御手段をそれぞれ動作させることを特徴としたものである。